(57)【要約】      （修正有）【課題】法定の断熱性能基準をクリアした床下地を、安定的に且つ簡易に構築できる床下地構造を提供する。【解決手段】コンクリート製の床スラブＦ上に、支持脚１０を用いて構築された乾式二重床の床下地構造において、床スラグ上に、上下に貫通する貫通穴３を有する断熱層２が設けられ、該断熱層に形成された貫通穴に、支持脚の台座１１が配置されているとともに、支持脚の支持ボルト１２を挿入し得る差し込みスリットが側壁に形成された軟質発泡合成樹脂製のパッキン材５０が、台座を覆う状態で貫通穴に充填されている床下地構造とした。【選択図】図２
0003226429.tif 000002
【実用新案登録請求の範囲】
【請求項１】
コンクリート製の床スラブ上に、台座と、該台座上に回転自在に立設した支持ボルトと、該支持ボルトの上端に螺合した調整ナットと、該調整ナットに固定して支持ボルトで支持する受材からなる支持脚を用いて構築された乾式二重床の床下地構造において、上記床スラグ上に、上下に貫通する貫通穴を有する断熱層が設けられ、該断熱層に形成された上記貫通穴に、上記支持脚の台座が配置されているとともに、上記支持脚の支持ボルトを挿入し得る差し込みスリットが側壁に形成された軟質発泡合成樹脂製のパッキン材が、上記台座を覆う状態で上記貫通穴に充填されていることを特徴とする、床下地構造。
【請求項２】
上記パッキン材の底壁に、上記支持脚の台座が嵌り込む凹所が形成されていることを特徴とする、請求項１に記載の床下地構造。
【請求項３】
上記パッキン材の底壁に形成された凹所が、切り欠き凹部であることを特徴とする、請求項２に記載の床下地構造。
【請求項４】
上記パッキン材の底壁に形成された凹所が、切り込みスリットが形成された部分が圧縮されることにより形成されたものであることを特徴とする、請求項２に記載の床下地構造。
【請求項５】
上記パッキン材が、ポリオレフィン系樹脂発泡体であることを特徴とする、請求項１〜４のいずれかに記載の床下地構造。
【考案の詳細な説明】
【技術分野】
【０００１】
本考案は、集合住宅などの各種建物のコンクリート製床スラブ上に、断熱性能に優れた床下地を構築するのに好適な、床下地構造に関するものである。
【背景技術】
【０００２】
従来、この種の床下地の中には、遮音性能、断熱性能の向上、及び床下の配管・配線を容易にすること等を目的として、コンクリート製床スラブ（以下、単に床スラブとも言う）の上方に空隙が空くように床下地材を配置した、所謂、乾式二重床の構造にしたものがある（特許文献１、２参照）。
この乾式二重床の床下地は、ゴム製の台座上に回転自在に立設した支持ボルトと、該支持ボルトの上端に螺合した調整ナットと、該調整ナットに固定して支持ボルトで支持する受材からなる支持脚を用い、台座を床スラブ上に固着して支持ボルトを立脚させてから、該支持ボルトを回して受材を昇降させることによりレベル調整し、これら受材上にパーティクルボード等からなる床下地材を載せて釘や接着剤で固定することにより、床下地を構築する構造になっている。そして、このように床下地を床スラブ上に設置してから、床下地材上に、例えばフローリング材、木質フロア、床タイル等の床仕上げ材を固着し、床表面を仕上げている。
【先行技術文献】
【特許文献】
【０００３】
【特許文献１】実開平６−７６５２１号公報
【特許文献２】特開平２００３−３６４８号公報
【考案の概要】
【考案が解決しようとする課題】
【０００４】
ところで、近年、地球の温暖化防止の見地から、省エネ法（エネルギーの使用の合理化に関する法律）が改正され、住宅・建築分野においては、床下地には、改正省エネ法に基づき、特に断熱性が必要な最下階・最上階や、２階以上でも外気と面する壁側の床には、壁際から部屋の中央部に向け所定の幅にわたり、法定の断熱性能基準値を超えた断熱構造にする義務が課せられている。
【０００５】
そこで、上述した乾式二重床の床下地では、床下地の構築に際して、先ず壁際から所定の幅にわたり、現場発泡ウレタンを床スラブ上に吹き付けたり、発泡合成樹脂製の断熱材を床スラブ上に張り付けたりして断熱層を形成し、壁側の床スラブを断熱補強することがなされていた。そして、この場合、乾式二重床の支持脚設置用に、床スラブ上に形成した上記断熱層にいったん穴を開け、その穴に上記支持脚の脚元であるゴム製の台座を設置して床スラブに固定した後、該台座の周りにできた隙間を再び、現場吹き付け発泡ウレタンや接着剤、繊維系断熱材等で穴を埋め戻すことが行われていた。
しかしながら、現場吹き付け発泡ウレタンや接着剤で穴を埋め戻した場合には、硬化したウレタンや接着樹脂とゴム製の台座との間の擦れにより、床鳴りが生じる問題があった。また、繊維系断熱材を充填する方法では、施工者が現場で断裁し取り付けており、施工者の技量により密度が不均一であったり、隙間が生じるなど、断熱性能に課題が残るものであった。
【０００６】
本考案は、上述した背景技術が有する課題に鑑みなされたものであって、その目的は、法定の断熱性能基準をクリアした床下地を、安定的に且つ簡易に構築できる床下地構造を提供することにある。
【課題を解決するための手段】
【０００７】
上記した目的を達成するため、本考案は、次の〔１〕〜〔５〕に記載した床下地構造とした。
〔１〕コンクリート製の床スラブ上に、台座と、該台座上に回転自在に立設した支持ボルトと、該支持ボルトの上端に螺合した調整ナットと、該調整ナットに固定して支持ボルトで支持する受材からなる支持脚を用いて構築された乾式二重床の床下地構造において、上記床スラグ上に、上下に貫通する貫通穴を有する断熱層が設けられ、該断熱層に形成された上記貫通穴に、上記支持脚の台座が配置されているとともに、上記支持脚の支持ボルトを挿入し得る差し込みスリットが側壁に形成された軟質発泡合成樹脂製のパッキン材が、上記台座を覆う状態で上記貫通穴に充填されていることを特徴とする、床下地構造。
〔２〕上記パッキン材の底壁に、上記支持脚の台座が嵌り込む凹所が形成されていることを特徴とする、上記〔１〕に記載の床下地構造。
〔３〕上記パッキン材の底壁に形成された凹所が、切り欠き凹部であることを特徴とする、上記〔２〕に記載の床下地構造。
〔４〕上記パッキン材の底壁に形成された凹所が、切り込みスリットが形成された部分が圧縮されることにより形成されたものであることを特徴とする、上記〔２〕に記載の床下地構造。
〔５〕上記パッキン材が、ポリオレフィン系樹脂発泡体であることを特徴とする、上記〔１〕〜〔４〕のいずれかに記載の床下地構造。
【考案の効果】
【０００８】
上記した本考案に係る床下地構造によれば、法定の断熱性能基準をクリアした床下地を、安定的に且つ簡易に構築することができる。
【図面の簡単な説明】
【０００９】
【図１】本考案に係る床下地構造の一例を示した部分斜視図である。
【図２】図１に示した床下地構造の要部を拡大して示した縦断面図である。
【図３】支持脚の例を示した斜視図であり、（ａ）は受材が複数本の支持ボルトで支持された支持脚を示した図、（ｂ）は受材が１本の支持ボルトで支持された支持脚を示した図である。
【図４】パッキン材の例を示した図であり、（ａ）はパッキン材の斜視図、（ｂ）はパッキン材の縦断面図である。
【図５】パッキン材の他の例を示した図であり、（ａ）はパッキン材の斜視図、（ｂ）はパッキン材の縦断面図である。
【図６】パッキン材の断熱層に形成された貫通穴への充填方法を示した図である。
【考案を実施するための形態】
【００１０】
以下、本考案に係る床下地構造の実施形態を、図面を参照しつつ詳細に説明する。
【００１１】
図１は、本考案に係る床下地構造の一例を示した部分斜視図、図２は、その要部を拡大して示した縦断面図である。図示した実施形態は、本考案の床下地構造を、マンションのような鉄筋コンクリート造の集合住宅の床に適用したものである。
【００１２】
図１及び図２において、Ｗは外気に面したコンクリート製の壁、Ｆはコンクリート製の床スラブである。壁Ｗには、その内壁面側に、必要に応じて、例えば断熱材と石膏ボードからなる断熱壁１が形成されている。また、床スラブＦ上には、省エネ法に従い、壁Ｗから所定幅（例えば６００ｍｍ）の範囲内にわたり、断熱層２が形成されている。
【００１３】
上記断熱層２は、非透湿性（非透水性）及び断熱性を有する材料からなるものであれば、特に限定されるものではないが、例えば現場発泡ウレタンを床スラブＦ上に吹き付けたり、発泡合成樹脂製の断熱材を床スラブＦ上に張り付けることにより形成されている。断熱層２を床スラブＦ上に形成することにより、壁Ｗから所定幅の範囲内にわたり、法定の断熱性能基準値をクリアした断熱構造にしている。
【００１４】
上記断熱層２には、その所定位置に上下に貫通する貫通穴３が形成されている。この貫通穴３は、後に詳述する支持脚１０の台座１１が収納配置される部位であり、支持脚１０の設置位置に基づいてその形成位置が決定され、収納配置される台座１１の形状や大きさに基づいてその形状や大きさが決定される。貫通穴３の形成は、断熱層２を現場発泡ウレタンの吹き付けにより形成する場合には、断熱層２の形成後に、型抜き治具等を用いて貫通穴３を断熱層２の所定位置に形成することとなるが、発泡合成樹脂製の断熱材を張り付けることにより形成する場合には、予め貫通穴３が所定位置に形成された断熱材を床スラブＦ上に張り付けることにより断熱層２を形成することとしても良い。
【００１５】
壁Ｗから所定幅の範囲内にわたり断熱層２が形成された床スラブＦ上には、図示したように、複数の支持脚１０を立設し、それら支持脚１０で床下地材２０を受けて支持した乾式二重床の床下地構造が構築されている。
床下地材２０を支持する支持脚１０は、図３に示すように、台座１１と、該台座１１上に回転自在に立設した支持ボルト１２と、該支持ボルト１２の上端に螺合した調整ナット１３と、該調整ナット１３に固定して支持ボルト１２で支持される受材１４とからなる。
【００１６】
上記台座１１の形状は、特に限定されるものではないが、円柱形状、多角柱形状、楕円柱形状等が挙げられる。台座１１が円柱形状の場合には、上記した断熱層２に形成される貫通穴３の形状は、同様の円柱形状に形成されていることが好ましい。また、言うまでもなく、台座１１が多角柱形状や楕円柱形状の場合には、貫通穴３も多角柱形状や楕円柱形状に形成されていることが好ましい。
【００１７】
台座１１は、硬質性及び非透湿性を有する材料により構成されている必要があり、例えば台座１１としては、ゴム硬度（ＪＩＳ  Ｋ  ６３０１のＡ形）が７０程度以上の天然ゴム又は合成ゴム等の弾性体からなるもの、非発泡の硬質の合成樹脂成形体や、低発泡（発泡倍率２〜３倍程度）の硬質の合成樹脂成形体からなるもの等を好適に用いることができる。また、台座１１に用いる合成樹脂材料としては、ポリエチレン樹脂、ポリプロピレン樹脂、ポリスチレン樹脂、ポリウレタン樹脂、フェノール樹脂、ＡＢＳ樹脂等を好適に用いることができる。
【００１８】
上記台座１１上には、回転自在に支持ボルト１２が立設されている。支持ボルト１２は、外周面に雄ねじ１２ａが刻設され、上端面にマイナス溝１２ｂが形成されている。支持ボルト１２の雄ねじ１２ａには、調整ナット１３が螺合されている。調整ナット１３は、内周面に雌ねじ１３ａが刻設された円筒部１３ｂと、該円筒部１３ｂの下端に設けられた環状鍔部１３ｃとからなる。そして、該調整ナット１３の円筒部１３ｂを、受材１４に穿設された挿通穴１４ａに嵌合し、環状鍔部１３ｃを、挿通穴１４ａの穴周縁に接着することにより、受材１４を取り付けている。
【００１９】
支持脚１０には、図３（ａ）に示したように、長尺な断面矩形の棒状体に形成された受材１４を、その長手方向に沿って等間隔に固定された調整ナット１３にそれぞれ螺合する複数本の支持ボルト１２によって支持した構造のもの（特に、この構造の支持脚は「根太ユニット」と称される）１０Ａと、図３（ｂ）に示したように、平面視矩形（或いは円形）に形成された受材１４を、その中心部に固定された調整ナット１３に螺合する１本の支持ボルト１２によって支持した構造のもの１０Ｂとがあり、図１に示したように、根太ユニットと称される支持脚１０Ａが壁Ｗ際に配置され、その内方には支持脚１０Ｂが配置されている。
【００２０】
上記支持脚１０を構成する支持ボルト１２、調整ナット１３としては、強度の観点から、金属製のものを好適に用いることができる。また、受材１４としては、合板等の木質材や、ＡＢＳ樹脂、ポリエチレン樹脂、ポリスチレン樹脂等の硬質合成樹脂低発泡体（発泡倍率３倍以下）等の釘止め可能な材料からなるもの、又はこれら材料を組み合わせてなるものを好適に用いることができる。
【００２１】
上記した構成の支持脚１０の台座１１が、図２に示したように、断熱層２が形成された床スラブＦ上においては、断熱層２に形成された上記貫通穴３に挿入され、床スラブＦ上に支持脚１０が設置されている。一方、断熱層２が形成されていない床スラブＦ上においては、同じく図２に示したように、支持脚１０の台座１１が直接床スラブＦ上に載置され、床スラブＦ上に支持脚１０が設置されている。そして、設置された支持脚１０の台座１１は、必要に応じて、床スラブＦに対して接着剤等によって固定されている。
【００２２】
断熱層２に形成された貫通穴３に挿入された支持脚１０の台座１１は、該貫通穴３に充填された軟質発泡合成樹脂製のパッキン材５０によって覆われている。この貫通穴３へのパッキン材５０の充填により、断熱層２に支持脚１０を設置するために形成された貫通穴３を塞ぐことができ、断熱性能の欠損部分のない断熱層２に修復することができる。
【００２３】
上記パッキン材５０は、支持脚１０の台座１１が挿入された状態の貫通穴３の形状寸法に応じてその形状や大きさが決定されており、貫通穴３が円形の穴である場合には、該円形の貫通穴に嵌め込むことができる円柱状或いは円錐状のパッキン材に設計され、貫通穴３が四角形、六角形等の多角形の穴である場合には、該多角形の貫通穴に嵌め込むことができる四角形、六角形等の多角柱状のパッキン材に設計されていることが好ましい。
【００２４】
また、パッキン材５０には、図４及び図５に示したように、その側壁に上記支持脚１０の支持ボルト１２を挿入し得る差し込みスリット５１が形成されている。この差し込みスリット５１の存在により、図６に示したように、断熱層２に形成された貫通穴３に設置された支持脚１０に対して、該支持脚１０の支持ボルト１２に邪魔されることなく貫通穴３内に挿入配置された台座１１上に、該パッキン材５０を充填することができるものとなる。加えて、上記差し込みスリット５１の終端となるパッキン材５０の中心位置に、支持ボルト１２を配置できる設置穴５２が形成されていることは、パッキン材５０の台座１１上への充填がよりスムーズに行えるものとなるために好ましい。
【００２５】
また、パッキン材５０には、その底壁に支持脚１０の台座１１が嵌り込む凹所５３が形成されていることが好ましい。この凹所５３の存在により、台座１１によるパッキン材５０の浮き上がりが阻止され、パッキン材５０の底面と床スラブとの間の隙間を可及的に無くすことができ、断熱性能の良好な断熱層２に修復することができるものとなる。
【００２６】
上記パッキン材５０の底壁に形成される凹所５３は、図４に示したように、パッキン材５０の底壁に切り欠き凹部５４を形成することにより実現しても良く、また、図５に示したように、パッキン材５０の底壁に切り込みスリット５５を形成し、該切り込みスリット５５を形成した部分を台座１１の上面に圧接させることにより潰し（圧縮し）、台座１１が嵌り込む凹所５３としたものであっても良い。
【００２７】
上記パッキン材５０の基材樹脂としては、例えば、ポリ塩化ビニル等の塩化ビニル系樹脂、ゴム成分を含有したポリスチレン系樹脂や、ポリエチレン系樹脂やポリプロピレン系樹脂等のポリオレフィン系樹脂、ポリメチルメタクリレート等のアクリル系樹脂、ポリカーボネート系樹脂等が挙げられる。上記の中でもポリエチレン系樹脂、ポリプロピレン系樹脂等のポリオレフィン系樹脂は、本考案のパッキン材に可撓性，圧縮歪回復性，柔軟性を付与する上で最も好適な樹脂である。
【００２８】
上記ポリオレフィン系樹脂を基材樹脂として用いた場合には、該ポリオレフィン系樹脂発泡体の見掛け密度は、好ましくは０．０１０〜０．０９０ｇ／ｃｍ３、更に好ましくは０．０１５〜０．０７０ｇ／ｃｍ３、特に好ましくは０．０２０〜０．０５０ｇ／ｃｍ３である。
なお、上記見掛け密度は、発泡体の重量（ｇ）を水没法にて求められる該発泡体の体積（ｃｍ３）で除して得られる値である。
【００２９】
また、上記パッキン材５０は、十分な断熱性を付与する観点から、熱伝導率が好ましくは０．０２〜０．０７Ｗ／ｍ・Ｋ、より好ましくは０．０２３〜０．０６０Ｗ／ｍ・Ｋ、さらに好ましくは０．０２８〜０．０５０Ｗ／ｍ・Ｋの合成樹脂発泡体からなるものである。断熱性を付与する観点からは、熱伝導率は低いほど好ましいが、熱伝導率が０．０２Ｗ／ｍ・Ｋに満たないものは低コストで得ることが困難であり、経済的な観点から現実的ではない。
【００３０】
床スラブＦ上に立設され複数の支持脚１０上には、床下地材２０が敷設されている。床下地材２０の敷設に際しては、支持ボルト１２の上端に形成されたマイナス溝１２ｂに回転用工具の先端を嵌め込んで支持ボルト１２を回すことにより、受材１４を昇降させて各受材１４の高さを調節し、各受材１４の上面を同じ水平面に合致させた後に、該受材１４上に床下地材２０を載せて釘や接着剤で受材１４に固定することによりなされている。
【００３１】
床下地材２０としては、例えば、平面視矩形の合板、パーティクルボード等の木質材からなるものを好適に用いることができる。また、支持脚１０の高さ調整を行った後、必要に応じて、各支持脚１０の支柱ボルト１２の回り止めを行う。例えば支持ボルト１２の上端部外周に接着剤を流し込むことにより、支持ボルト１２の外周面と調整ナット１３の内周面とを接着し、支持ボルト１２の受材１４に対する回り止めをはかることは好ましい。
【００３２】
上記のようにして複数の床下地材２０が、断熱層２から上方に所定間隔をおいた状態で面状に並んで配置されるように取り付けられる。この取り付け状態においては、隣り合う床下地材２０の隙間には、目地材を配置して、その隙間を閉塞しても良い。更に、床下地材２０の下面全域等に断熱パネルを取り付けて、より断熱性能の良好な床下地を構築しても良い。
【００３３】
本考案に係る床下地構造は、上記のように構成されており、その床下地における床下地材２０の上面側に、必要に応じて合板等の捨張材を介して、例えばフローリング材、木質フロア、床タイル等の床仕上げ材を施工し、床構造が形成される。
【００３４】
以上、詳述した本考案に係る床下地構造は、床スラグＦ上に、上下に貫通する貫通穴３を有する断熱層２が設けられ、該断熱層２に形成された上記貫通穴３に、支持脚１０の台座１１が配置されるものであるので、支持脚１０の台座１１を、断熱層２に形成された貫通穴３を介して直接床スラブＦ上に載置することができ、安定した状態で支持脚１０を床スラブＦ上に立設できるものとなる。
【００３５】
また、支持脚１０を設置するために形成した断熱層２の貫通穴３は、軟質発泡合成樹脂製のパッキン材５０によって塞がれているので、断熱層２の断熱性能は良好なものとなり、法定の断熱性能基準をクリアしたものとなる。
【００３６】
さらに、貫通穴３に充填するパッキン材５０は、側壁に支持脚１０の支持ボルト１２を挿入し得る差し込みスリット５１が形成された軟質発泡合成樹脂製のものであるので、貫通穴３に配置された支持脚１０に対して、該支持脚１０の支持ボルト１２に邪魔されることなく貫通穴３内に挿入配置された台座１１上に、該パッキン材５０を容易に充填することができるものとなる。
【００３７】
上記したようなことから、本考案に係る床下地構造は、法定の断熱性能基準をクリアした床下地を、安定的に且つ簡易に構築することができるものとなる。
【００３８】
以上、本考案に係る床下地構造の実施形態を説明したが、本考案は、既述の実施形態に限定されるものではなく、実用新案登録請求の範囲に記載した本考案の技術的思想としての床下地構造の範囲内において、種々の変形及び変更が可能であることは当然である。
【産業上の利用可能性】
【００３９】
本考案に係る床下地構造は、法定の断熱性能基準をクリアした床下地を、安定的に且つ簡易に構築できるものであるので、集合住宅などの各種建物のコンクリート製床スラブ上に、断熱性能に優れた床下地を構築するのに好適に利用することができるものである。
【符号の説明】
【００４０】
Ｗ    外気に面したコンクリート製の壁
Ｆ    コンクリート製の床スラブ
１    断熱壁
２    断熱層
３    貫通穴
１０    支持脚
１１    台座
１２    支持ボルト
１３    調整ナット
２０    床下地材
５０    軟質発泡合成樹脂製のパッキン材
５１    差し込みスリット
５２    設置穴
５３    凹所
５４    切り欠き凹部
５５    切り込みスリット
【図１】
0003226429.tif 000003
【図２】
0003226429.tif 000004
【図３】
0003226429.tif 000005
【図４】
0003226429.tif 000006
【図５】
0003226429.tif 000007
【図６】
0003226429.tif 000008